【手続補正書】
【提出日】平成15年7月29日(2003.7.29)
【手続補正１】
【補正対象書類名】明細書
【補正対象項目名】特許請求の範囲
【補正方法】変更
【補正の内容】
【特許請求の範囲】
【請求項１】
ディスク型記録媒体を用い、ディスク型記録媒体に対する記録操作と再生操作を排他的に行うディスク装置において、
前記ディスク型記録媒体から再生された記録済みの既記録情報を記憶させる再生情報記憶手段を有し、
ディスク型記録媒体に記録済みの既記録情報との同時再生を目的とする新規情報を該ディスク型記録媒体に追加記録する際に、
前記既記録情報を前記再生情報記憶手段にディスク型媒体から読み込み、該再生情報記憶手段より前記既記録情報の出力を行いつつ前記新規情報の前記ディスク型記録媒体への記録を可能にし、かつ、前記再生情報記憶手段より出力される前記既記録情報を前記新規情報の追加記録のための情報とした
ことを特徴とするディスク装置。
【請求項２】
請求項１に記載のディスク装置において、前記ディスク型記録媒体に記録済みの既記録情報は映像情報であって、前記追加記録される新規情報は音声情報であることを特徴とするディスク装置。
【請求項３】
請求項１に記載のディスク装置において、前記ディスク型記録媒体に記録済みの既記録情報は音声情報であって、前記追加記録される新規情報は映像情報であることを特徴とするディスク装置。
【請求項４】
請求項１に記載のディスク装置において、前記ディスク型記録媒体に記録済みの既記録情報は第一の音声情報であって、前記追加記録される新規情報は第二の音声情報であることを特徴とするディスク装置。
【請求項５】
請求項１に記載のディスク装置において、前記ディスク型記録媒体に記録済みの既記録情報は第一の映像情報であって、前記追加記録される新規情報が第二の映像情報であることを特徴とするディスク装置。
【請求項６】
請求項１に記載のディスク装置において、
前記ディスク型記録媒体に記録する記録情報を記憶させる記録情報記憶手段を有し、ディスク型記録媒体に記録済みの既記録情報との同時再生を目的とした新規情報を前記記録情報記録手段に記憶した後、前記ディスク型記録媒体に記録することを特徴とするディスク装置。
【手続補正２】
【補正対象書類名】明細書
【補正対象項目名】０００１
【補正方法】変更
【補正の内容】
【０００１】
【発明の属する技術分野】
本発明はディスク型記録媒体を用い、かつ、情報の記録操作と情報の再生操作とを一つの手段で兼ねて行い、記録操作と再生操作は排他的に行うディスク装置における情報の記録及び再生の手法に関するものであり、既にディスク型記録媒体に記録されている既記録情報との同時再生を目的とした新規情報を追加記録する際に、前記ディスク型記録媒体への記録操作と再生操作を同時に発生させることなく、前記新規情報を記録するための案内情報となる既記録情報の再生と、前記ディスク型記録媒体への新規情報の記録とを実現することを目的とする。


【手続補正３】
【補正対象書類名】明細書
【補正対象項目名】０００２
【補正方法】変更
【補正の内容】
【０００２】
【従来の技術】
従来のディスク型記録媒体を用いたディスク装置は、単に情報の記録または再生を行うことだけを目的としていた。また、従来のディスク型記録媒体を用いたディスク装置は、記録手段と再生手段とを個別に持つテープを記録媒体とする装置とは異なり、情報の記録操作と情報の再生操作とを一つの手段で兼ねており、記録操作と再生操作は排他的にしか行うことが出来ない構成となっていた。このような構成のためディスク型記録媒体からの情報の再生と、ディスク型記録媒体への情報の記録は同時に行うことはできなかった。従って、テープを記録媒体とする装置で実現されている記録媒体に記録済みの既記録情報との同時再生を目的とする新規情報を記録媒体に追加記録する際に、新規情報の案内情報として既記録情報を再生するといった操作を実現することは出来ず、また、このような記録操作と再生操作とを実行することは考慮されていなかった。


【手続補正４】
【補正対象書類名】明細書
【補正対象項目名】０００３
【補正方法】変更
【補正の内容】
【０００３】
【発明が解決しようとする課題】
本発明の課題は、ディスク型記録媒体を用い、ディスク型記録媒体に対する記録操作と再生操作を同一の手段で行い、かつ、記録操作と再生操作を排他的に行うディスク装置において、ディスク型記録媒体に記録済みの既記録情報との同時再生を目的とする新規情報の追加記録を行う際に、前記ディスク型記録媒体に対する記録操作と再生操作を同時に発生させることなく、前記新規情報を記録するために案内情報する前記既記録情報の再生と、前記ディスク型記録媒体への前記新規情報の記録とを実現することである。


【手続補正５】
【補正対象書類名】明細書
【補正対象項目名】０００４
【補正方法】変更
【補正の内容】
【０００４】
【課題を解決するための手段】
ディスク型記録媒体を用い、ディスク型記録媒体に対する記録操作と再生操作を同一の手段で行い、かつ、記録操作と再生操作を排他的に行うディスク装置において、ディスク型記録媒体に記録済みの既記録情報との同時再生を目的とする新規情報の追加記録を行う際に、前記新規情報を記録するために案内情報となる前記既記録情報を、ディスク装置内に備えた再生情報記憶手段に予め読み込んでおき、実際に前記新規情報を記録する際には前記再生情報記憶手段から前記既記録情報を読み出すことによって、ディスク型記録媒体への記録操作と再生操作とを同時に発生させることなく、前記既記録情報の再生と前記新規情報の記録とを実現する。


【手続補正６】
【補正対象書類名】明細書
【補正対象項目名】００２２
【補正方法】変更
【補正の内容】
【００２２】
以上、説明したように本発明によれば、ディスク型記録媒体を用い、ディスク型記録媒体に対する記録操作と再生操作を同一の手段で行い、かつ、記録操作と再生操作を排他的に行うディスク装置において、ディスク型記録媒体に記録済みの映像情報との同時再生を目的とする音声情報の追加記録を行う際に、ディスク型記録媒体への記録操作と再生操作を同時に発生させることなく、案内情報となる映像情報の再生と、新規情報である音声情報のディスク型記録媒体への記録とを実現することができる。


【手続補正７】
【補正対象書類名】明細書
【補正対象項目名】００２７
【補正方法】変更
【補正の内容】
【００２７】
以上、説明したように本発明によれば、ディスク型記録媒体を用い、ディスク型記録媒体に対する記録操作と再生操作を同一の手段で行い、かつ、記録操作と再生操作を排他的に行うディスク装置において、ディスク型記録媒体に記録済みの音声情報との同時再生を目的とする映像情報の追加記録を行う際に、ディスク型記録媒体に対する記録操作と再生操作を同時に発生させることなく、案内情報となる音声情報の再生と、新規情報である映像情報のディスク型記録媒体への記録とを実現することができる。


【手続補正８】
【補正対象書類名】明細書
【補正対象項目名】００３２
【補正方法】変更
【補正の内容】
【００３２】
以上、説明したように本発明によれば、ディスク型記録媒体を用い、ディスク型記録媒体に対する記録操作と再生操作を同一の手段で行い、かつ、記録操作と再生操作を排他的に行うディスク装置において、ディスク型記録媒体に記録済みの第一の音声情報との同時再生を目的とする第二の音声情報の追加記録を行う際に、ディスク型記録媒体対する記録操作と再生操作を同時に発生させることなく、案内情報する第一の音声情報の再生と、新規情報である第二の音声情報のディスク型記録媒体への記録とを実現することができる。


【手続補正９】
【補正対象書類名】明細書
【補正対象項目名】００３６
【補正方法】変更
【補正の内容】
【００３６】
以上、説明したように本発明によれば、ディスク型記録媒体を用い、ディスク型記録媒体に対する記録操作と再生操作を同一の手段で行い、かつ、記録操作と再生操作を排他的に行うディスク装置において、ディスク型記録媒体に記録済みの第一の映像情報との同時再生を目的とする第二の映像情報の追加記録を行う際に、ディスク型記録媒体に対する記録操作と再生操作を同時に発生させることなく、案内情報となる第一の映像情報の再生と、新規情報である第二の映像情報のディスク型記録型記録媒体への記録とを実現することができる。


【手続補正１０】
【補正対象書類名】明細書
【補正対象項目名】００３９
【補正方法】変更
【補正の内容】
【００３９】
第一記録情報記憶手段２０１と第二記録情報記憶手段２０２はディスク装置に入力される情報を一定量、交互に記憶する。この構成により第一記録情報記憶手段２０１に記憶された情報をディスク型記録媒体１０１に記録している間に第二記録情報記憶手段２０２がディスク装置に入力される情報を記憶することができるし、逆に第二記録情報記憶手段２０２に記憶された情報をディスク型記録媒体１０１に記録している間に第一記録情報記憶手段２０１がディスク装置に入力される情報を記憶することができる。


【手続補正１１】
【補正対象書類名】明細書
【補正対象項目名】００４１
【補正方法】変更
【補正の内容】
【００４１】
一方、第一再生情報記憶手段２０３と第二再生情報記憶手段２０４はディスク型記録媒体１０１から再生される情報を一定量、交互に記憶する。この構成により第一再生情報記憶手段２０３に記憶された情報をディスク装置から出力している間に第二再生情報記憶手段２０４がディスク型記録媒体１０１からの再生情報を記憶することができ、逆に第二再生情報記憶手段２０４に記憶された情報をディスク装置から出力している間に第一再生情報記憶手段２０３がディスク型記録媒体１０１からの再生情報を記憶することができる。


【手続補正１２】
【補正対象書類名】明細書
【補正対象項目名】００４２
【補正方法】変更
【補正の内容】
【００４２】
また、第一再生情報記憶手段２０３及び第二再生情報記憶手段２０４に記憶する情報の再生をディスク装置からの情報出力速度より高速に行うことにより、ディスク型記録媒体に対し常時再生操作を行う必要がなくなる。


【手続補正１３】
【補正対象書類名】明細書
【補正対象項目名】００４３
【補正方法】変更
【補正の内容】
【００４３】
以上説明した第一記録情報記憶手段２０１、第二記録情報記憶手段２０２、第一再生情報記憶手段２０３及び第二再生情報記憶手段２０４を備えることにより、ディスク型記録媒体に対する記録操作及び再生操作を間欠的に行うことができるため、再生操作と記録操作とを排他的に行うことが可能となる。従って、図２に示す構成のディスク装置においてもディスク型記録媒体に記録済みの既記録情報との同時再生を目的とする新規情報の追加記録を行う際に、ディスク型記録媒体に対する記録操作と再生操作を同時に発生させることなく、案内情報として必要な前記既記録の再生と、前記ディスク型記録媒体への前記新規情報の記録とを実現することができる。また、図２に示す構成のディスク装置では、ディスク装置に情報が入力されている間でも、案内情報として再生する必要がある既記録情報の補充が可能であり、既記録情報再生操作を既記録情報の情報量に関わらず行うことができる。


【手続補正１４】
【補正対象書類名】明細書
【補正対象項目名】００４４
【補正方法】変更
【補正の内容】
【００４４】
【発明の効果】
本発明により、ディスク型記録媒体を用い、ディスク型記録媒体に対する記録操作と再生操作を同一の手段で行い、かつ、記録操作と再生操作を排他的に行うディスク装置において、ディスク型記録媒体に記録済みの既記録情報との同時再生を目的とする新規情報の追加記録を行う際に、ディスク型記録媒体対する記録操作と再生操作を同時に発生させることなく、前記新規情報を記録する際に案内情報となる前記既記録情報の再生と、ディスク型記録媒体への前記新規情報の記録とを実現することができる。